(57)【特許請求の範囲】
【請求項１】
携帯式スロープの収納具であって、フロア等から所定の間隔を隔てて立設した一対の第１レール及び第２レールを有し、
前記第１レール及び第２レールは対向面に、携帯式スロープの両サイド部を上下方向に収納するための一対の第１収納溝部と第２収納溝部とを有し、
前記第１収納溝部と第２収納溝部との一方又は両方にストッパー部を有し、前記ストッパー部又は携帯式スロープの収納側端部の一方又は両方に緩衝材を設けたことを特徴とする携帯式スロープ用収納具。
【請求項２】
前記第１レールと第２レールとの間に携帯式スロープの収納間隔に合せた補助部材を、当該第１レールと第２レールとの間に連結してあることを特徴とする請求項１記載の携帯式スロープ用収納具。
【請求項３】
前記補助部材又は第１，第２レールのうち一方又は両方と携帯式スロープとの間に収納時のガダ止め部材を設けたことを特徴とする請求項２記載の携帯式スロープ用収納具。
【発明の詳細な説明】
【技術分野】
【０００１】
本発明は、携帯式スロープを収納する収納具に関する。
【背景技術】
【０００２】
持ち運びが自由で必要な時にスロープとして使用できる携帯スロープが提案されているが、使用しない時の収納方法が問題となる。
非特許文献１には、壁にフックを設け、吊り下げ収納する例が開示されている。
しかし、スロープを横方向に吊り下げるので、スロープの長さに合ったスペースが必要になる。
また、フックを設ける壁等が必要になる。
非特許文献２には、携帯式スロープを１／４にまで折り畳みボックス状にした構造を示す。
しかし、これではそのまま床等に置くことになり、安定性がない。
【先行技術文献】
【非特許文献】
【０００３】
【非特許文献１】Wheelchair Ramp Accessories [Access Appraisais Ltd.]
【非特許文献２】Multi Fold Pet Ramp [Trek Pet.Com]
【発明の概要】
【発明が解決しようとする課題】
【０００４】
本発明は、収納性に優れる携帯式スロープ用収納具の提供を目的とする。
【課題を解決するための手段】
【０００５】
本発明に係る携帯式スロープ用収納具は、フロア等から所定の間隔を隔てて立設した一対の第１レール及び第２レールを有し、前記第１レール及び第２レールは対向面に、携帯式スロープの両サイド部を上下方向に収納するための一対の第１収納溝部と第２収納溝部とを有し、前記第１収納溝部と第２収納溝部との一方又は両方にストッパー部を有し、前記ストッパー部又は携帯式スロープの収納側端部の一方又は両方に緩衝材を設けたことを特徴とする。
このようにすると、携帯式スロープは必要に応じて折り畳み、上から一対の第１及び第２収納溝部の間に差し込むだけで収納できる。
【０００６】
本発明においては、第１レールと第２レールとの間に携帯式スロープの収納間隔に合せた補助部材を、当該第１レールと第２レールとの間に連結してあってもよい。
このようにすると、携帯式スロープの収納間隔に合せて予め、第１レールと第２レールとを補助部材で一体化しておくことができるので、どこにでも簡単に設置できる。
【０００７】
本発明に係る収納具は、建築物の出入口，店舗の出入口等に設置しておくことができるが、さらにバス等の車両のフロアに設置する場合には、補助部材又は第１，第２レールのうち一方又は両方と携帯式スロープとの間に収納時のガダ止め部材を設けるとよい。
【発明の効果】
【０００８】
本発明に係る収納具は、上から差し込むだけで携帯式スロープを収納できるので、省スペース，コンパクトである。
また、使用したい時には上方に引き出すだけでよい。
また、ガタ防止手段を設けるとバス等の車両のフロア等にも容易に設置し、移動の際に振動音が発生するのを防ぐことができる。
【図面の簡単な説明】
【０００９】
【図１】本発明に係る収納具の構造例を示し、（ａ）は収納前、（ｂ）は収納後を示す。
【図２】携帯スロープを収納した状態を上から見た図を示す。
【図３】携帯式スロープの例を示す。
【発明を実施するための形態】
【００１０】
本発明に係る携帯式スロープ用収納具の構造例を以下図面に基づいて説明する。
図１に収納具１０の斜視図、図２に携帯式スロープ２０を収納した状態を上から見た図を示す。
収納具１０は、第１収納溝部１１ａを有する第１レール１１をフロア等からブラケット１１ｂを用いて立設し、この第１収納溝部１１ａに対向するように第２収納溝部１２ａを有する第２レール１２をブラケット１２ｂを用いて立設する。
この際に第１レール１１と第２レール１２との間隔は、携帯式スロープ２０を折り畳んだ状態の収納幅Ｗに対応させることになる。
そこで、パネルやバー材等の補助部材１３にて予め第１レール１１と第２レール１２とを連結しておけば、現地にて間隔の寸法合せをすることなく設置できる。
本実施例では、第１レール１１及び第２レール１２をアルミニウム合金の押出材で製作し、嵌合溝部１１ｄ，１２ｄの間にパネル材からなる補助部材１３を差し込み連結した例になっている。
このようにすると、収納具の位置が明確になり、後述するように補助部材１３を用いて携帯式スロープを固定することもできる。
図１に示すように、第１収納溝部１１ａ及び第２収納溝部１２ａの下端部には、緩衝材からなるストッパー部１１ｃ，１２ｃを設けてあり、携帯式スロープ２０を収納具１０の上部の第１，第２収納溝部１１ａ，１２ａの上端開口部から差し込むだけで収納できる。
この緩衝材は、携帯式スロープ２０の収納方向の下端部に設けることもできる。
【００１１】
図２に収納具１０に携帯式スロープ２０を収納した状態を上から見た図を示す。
第１収納溝部１１ａと第２収納溝部１２ａとの溝幅は、それぞれ携帯式スロープ２０の折り畳んだ状態のサイド部の厚みに合せることになる。
この際に携帯式スロープ２０がガタ付くのを防止することで、バス等のフロアに設置した場合、車両走行時にガタ音が発生するのを抑えることができる。
そこで本実施例では、第１及び第２収納溝部１１ａ，１２ａの補助部材１３側とは反対側の溝側壁に緩衝部材１１ｅ，１２ｅを取り付けるとともに、携帯式スロープ２０の補助部材１３と対向する側面に緩衝部材からなるキノコ状の突起部２５を形成した。
これにより、補助部材１３と突起部２５との間の反発力により、携帯式スロープ２０のガタが防止される。
なお、この突起部２５は、補助部材１３側に設けてもよい。
本実施例では、携帯式スロープ２０の収納時に上部に位置する部位に突起部２５を設けたので、携帯式スロープ２０の下端部であって、突起部２５を設けた面とは反対側の面に緩衝部材２６ａ，２６ｂを設けた例になっているが、収納具１０と携帯式スロープ２０との間での緩衝部材の設定方法に特に制限はない。
【００１２】
携帯式スロープ２０は、持ち運び可能なものであれば構造そのものに制限はない。
図３に示した実施例は、２つのスロープ体２１，２２を中央部の軸連結部２３で折り畳み可能にした例である。
また、各スロープ体２１，２２は、パネル２１ａ，２２と側端レール部２１ｂ，２２ｂからなり、折り畳んだ状態で持ち運ぶための持手部２４ａ，２４ｂを有する例になっている。
【符号の説明】
【００１３】
１０      収納具
１１      第１レール
１１ａ    第１収納溝部
１１ｂ    ブラケット
１１ｃ    ストッパー部
１２      第２レール
１２ａ    第２収納溝部
１２ｂ    ブラケット
１２ｃ    ストッパー部
１３      補助部材
２０      携帯式スロープ
【図１】
0006416616.tif 000002
【図２】
0006416616.tif 000003
【図３】
0006416616.tif 000004